(57)【要約】【課題】  雌孔の側壁に銜止バネをもつ形式の雌ホックを雄化ホックに変身させるのに用いる、雌ホックの雄化用部材及び当該部材を用いた雄ホック並びに押しホックを提供する。【解決手段】  雌孔の側壁に銜止バネをもつ形式の雌ホックを雄化ホックに変身させるのに用いるものであって、頭部及びアゴ部並びに首部を有する雄主体部と、当該雄主体部を上記雌孔に押し込んで固定するための固定脚部とにより構成され、上記固定脚部は、雄主体部の基端を延長してその先端に銜止バネを一時的に非銜止状態にするガイド部が設けられ、また同延長部の周面には銜止バネが臨入することで固定機能を果すようにされた固定凹溝が設けられたものである。【選択図】        図２
2008119064.tif 000002
【特許請求の範囲】
【請求項１】
雌孔の側壁に銜止バネをもつ形式の雌ホックを雄化ホックに変身させるのに用いるものであって、頭部及びアゴ部並びに首部を有する雄主体部と、当該雄主体部を上記雌孔に押し込んで固定するための固定脚部とにより構成されたことを特徴とする雌ホックの雄化用部材。
【請求項２】
上記固定脚部は、雄主体部の基端を延長してその先端に銜止バネを一時的に非銜止状態にするガイド部が設けられ、また同延長部の周面には銜止バネが臨入することで固定機能を果すようにされた固定凹溝が設けられたことを特徴とする請求項１記載の雌ホックの雄化用部材。
【請求項３】
上記請求項１または２記載の雌ホックの雄化用部材を雌孔に押し込んで一体化することにより雄化ホックとして機能するようにされたことを特徴とする押しホックの雄ホック。
【請求項４】
上記請求項３記載の雄ホックと、雌孔の側壁に銜止バネをもつ形式の雌ホックとからなることを特徴とする押しホック。
【請求項５】
上記雄主体部が上記雌孔に押し込まれたときに、上記銜止バネが臨入して引き抜き操作を不可能にする係止凹溝が雄主体部における首部の周面に対設されたことを特徴とする請求項４記載の押しホック。
【請求項６】
上記請求項１又は２記載の雄化用部材を備えたことを特徴とする服飾品、鞄類等製品。
【発明の詳細な説明】
【技術分野】
【０００１】
本発明は、雌孔の側壁に銜止バネをもつ形式の雌ホックを雄化ホックに変身させるのに用いる、雌ホックの雄化用部材及び当該部材を用いた雄ホック並びに押しホックに関する。
【０００２】
本文中、雄化（おすか）とは、雌ホックを雄機能を果す状態に変身させることをいい、雄化ホックとは雄化されたホックのことをいう。
【背景技術】
【０００３】
従前知られているこの種の、スナップ、バネホックとも称されている押しホック（以下、従来型ホックという）は、雄主体部が雌孔に押し込まれたときに同雄主体部の首部が銜止バネに係止して掛け状態を呈し、引き抜いたときには頭部が銜止バネを一旦押し退けてから外れるようにされた形式であり、雌ホックの構成態様と雄ホックの構成態様は全く異なっていた。このため、これら雌ホック、雄ホックは、それぞれ別個に製作された多数のパーツの組立により製造されている。
【０００４】
上記従来型ホックは、上記した通りであるので、雌・雄各ホックの製造管理、パーツの製造管理およびこれらの在庫管理等が必ずしも容易ではない問題があるのみならずこれら管理は、コスト高を招く原因になっていたというような問題があった。
【０００５】
そこで、本発明者は、予め量産した雌ホックの半数を雄化ホックに変身させるようにすれば、雄ホックの製造およびその管理等を皆無にでき且つパーツ点数を半減化しうるのではないかと発想した。そして、この発想に基づく研究・開発を繰り返した結果、本発明を案出したものである。
【０００６】
なお、本願出願人は、先行技術を調査したが、本発明に関連する先行技術文献を見出すことができなかった。
【発明の開示】
【発明が解決しようとする課題】
【０００７】
本発明は、雄ホックの製造管理・在庫管理等を皆無にし且つパーツ点数を半減化しうる新規の雌ホックの雄化用部材及び当該部材を用いた雄ホック並びに押しホックを提供することを目的とする。
【課題を解決するための手段】
【０００８】
上記目的を達成するために、請求項１に係る雌ホックの雄化用部材は、雌孔の側壁に銜止バネをもつ形式の雌ホックを雄化ホックに変身させるのに用いるものであって、頭部及びアゴ部並びに首部を有する雄主体部と、当該雄主体部を上記雌孔に押し込んで固定するための固定脚部と、により構成されたことを特徴とする。
【０００９】
すなわち、請求項１に係る雌ホックの雄化用部材によれば、雌ホックの雌孔に対して雄主体部の固定脚部を押し込んで固定するという簡単な作業をなすことにより、予め量産した雌ホックの半数を雄化ホックに変身させることができる。
【００１０】
したがって、雄ホックの製造管理・在庫管理等を皆無にし且つパーツ点数を半減化しうるのではないかとの発想を容易に実現でき、上記の問題も解決できる。
【００１１】
請求項２に係る雌ホック雄化用部材は、上記固定脚部は、雄主体部の基端を延長してその先端に銜止バネを一時的に非銜止状態にするガイド部が設けられ、また同延長部の周面には銜止バネが臨入することで固定機能を果すようにされた固定凹溝が設けられたことを特徴とする。
【００１２】
すなわち、請求項２に係る雌ホック雄化用部材によれば、上記雄化ホックに変身させる雄主体部の固定脚部を押し込む作業は、銜止バネと固定凹溝とが係合状態になるところまで延長部を雌孔に対して押し込むだけでよいから、コスト高を招く原因の回避、コストの低減化、量産化ができる。
【００１３】
請求項３に係る押しホックの雄ホックは、上記請求項１または２記載の雌ホック雄化用部材を雌孔に押し込んで一体化することにより雄化ホックとして機能するようにされたことを特徴とする。
【００１４】
請求項３に係る発明によれば、雌ホックと雄化用部材がストックされている場合、容易に雌ホックと雄化ホックのセットが提供できるから、雄ホックのストック管理を回避できる。したがって、全体の管理がし易くできるメリットがある。
【００１５】
請求項４に係る押しホックは、上記請求項３記載の雄ホックと、雌孔の側壁に銜止バネをもつ形式の雌ホックとからなることを特徴とする。
【００１６】
したがって、押しホックを提供するメーカーは、雄ホックを製造するためのジグ、機械等設備、当該設備のセットスペース等が要らなくでき、経費節減ができる。
【００１７】
請求項５に係る押しホックは、上記雄主体部が上記雌孔に押し込まれたときに、上記銜止バネが臨入して引き抜き操作を不可能にする係止凹溝が雄主体部における首部の周面に対設されたことを特徴とする。
【００１８】
すなわち、この請求項５に係る押しホックは、後述する第３実施の形態に係る押しホック３１の説明から容易に理解できるように、使用にあたって、雄化ホックにおける雄化用部材の雄主体部が、雄化されていない雌ホックの雌孔に押し込まれた場合には、引き抜き操作すなわち外し操作ができない係止の状態になるから不測に外れることがなく、また外したいときには、上記雄化ホック若しくは雌ホックに捻り操作を加えて銜止バネの銜え機能個所（平行部分２３a、２３b）を上記係止凹溝が存在しない外し個所にしてから、すなわち当該銜え機能個所（平行部分２３a、２３b）を係止凹溝より脱出させてから引き抜けばよいものである。
【００１９】
したがって、上記請求項５に係る発明によれば、不用意に外れることがない新規の押しホックを提供できる。
【００２０】
請求項６に係る服飾品、鞄類等製品は、上記請求項１又は２記載の雄化用部材を備えたことを特徴とするので、例えばその製造過程において所定の個所に雌ホックだけを対応させて取り付けた半完成状態の服飾品、鞄類等製品をストックしておき、ユーザーのニーズすなわちどちらの雌ホックを雄化するかをユーザーにより決定されてからそれに応えて完成させた服飾品、鞄類等製品を提供する等のことができ、量産化に向いている。
【発明の効果】
【００２１】
本発明によれば、雄ホックの製造管理・在庫管理等を皆無にし且つパーツ点数を半減化しうるのではないかとの発想を容易に実現できることは勿論であるが、特に上記雄化ホックに変身させる雄主体部の固定脚部を押し込む作業は、銜止バネを首部のところまで押し込むだけでアゴ部を銜止バネに容易に係止できるからコスト高を招く原因を回避でき、コストの低減化および量産化ができる。また雌ホックと雄化用部材とがストックされていれば、雌ホックと雄化ホックのセットが容易に提供できるから、結果として雄ホックのストック管理を回避できるのみならず、その分管理がし易くできるメリットがある。さらに押しホックを提供するメーカーは、雄ホックを製造するためのジグ、機械等設備、当該設備のセットスペースが要らなくできるから経費節減ができる。しかも不用意に外れることがない押しホックの要望にも応えることができる。
【発明を実施するための最良の形態】
【００２２】
図１及び図２は、第１実施の形態に係る雌ホックの雄化用部材１を示すものである。なお、図１は全体を示す斜視図であり、図２は雌孔に押し込む前の状態を示す一部切截正面図である。
【００２３】
この第１実施の形態に係る雌ホックの雄化用部材１は、雌孔２の側壁に銜止バネ３をもつ形式の雌ホック４を後述する雄化ホック２６に変身させるのに用いるようにしたものであって、頭部６及びアゴ部７並びに首部８を有する雄主体部９と、当該雄主体部９を上記雌孔２に押し込んで固定するための固定脚部１０とにより構成されている。通常、この雌ホックの雄化用部材１は、中実の金属材料により構成されるが、プラスチック成形品としてもよく、材料には拘る必要はない。また、有色プラスチック等有色材料を用いてカラフルな雄化ホックを得るようにしてもよい。
【００２４】
なお、上記銜止バネ３には平行部分３a、３bが設けられている。当該平行部分３a、３bは、上記雌孔２の側壁に開設された通孔１１a、１１bを介して同雌孔２内に露出した構成されている。
【００２５】
上記固定脚部１０は、雄主体部９の基端を延長して当該延長部１３の周面に固定機能を果す断面コ字型の固定凹溝１４を設け、また同延長部１３の先端に尖頭形状のガイド部１５を設けることにより構成されている。この固定脚部１０は、雌孔２に押し込まれたときには銜止バネ３がガイド部１５により一時的に非銜え位置になってから固定凹溝１４内に入ることにより抜出不能に固定されるようにしてある。すなわち、当該固定脚部１０は、図に示すように、銜止バネ４が固定凹溝１４内に嵌め殺し状態になるから抜出不能に固定される。このように抜出不能にする固定は、一度押し込まれたら銜止バネ３の係止機能により抜けないようにできれば充分であるから他の固定手段でもよく、またガイド部１５は銜止バネ４を一時的に非銜え位置にしてから戻って固定凹溝１４内に案内する機能を果す形状であればよいから先丸の形状、円錐台形状等にしてもよい。また、固定脚部１０が雌孔２内において回転しないようにするために、接着剤の流込により固定したり、回転しない形にしたり、固定パーツを追加して固定するようにしたりすることは任意である。
【００２６】
図３及び図４は、上記第１実施の形態に係る雌ホックの雄化用部材１を装置された第２実施の形態に係る押しホック２１を示す。なお、図３は雄化ホック２６に雌ホック２５bを留めた状態を仮想線で示した全体の一部切截正面図であり、図４は分解した状態を示す一部切截正面図である。
【００２７】
この第２実施の形態に係る押しホック２１は、雌孔２２及び当該雌孔２２の側壁に装備した銜止バネ２３並びに当該銜止バネ２３の装置用鍔状部２４が設けられた同一の構成の２個の雌ホック２５a、２５bと、これら２個の雌ホック２５a、２５bのうちの一方に上記第１実施の形態に係る雌ホックの雄化用部材１を押し込んで一体化することにより当該一方の雌ホック２５aが雄化ホック２６として機能する構成されたものである。
【００２８】
なお、雌ホックの雄化用部材１と一方の雌ホック２５aとの一体化は、図３において実線で示すように、一方の雌ホック２５aが有している銜止バネ２３の平行部分２３a、２３bが、雄化用部材１が有している固定凹溝１４に上記嵌め殺し状態に臨入することにより達成されている。
【００２９】
すなわち、この第２実施の形態に係る押しホック２１は、雄化ホック２６における雄化用部材１の雄主体部９が他方の雌ホック２５bの雌孔２２に押し込まれたときには、銜止バネ２３における雌孔２２内に露出する平行部分２３a、２３bが雄主体部９の首部８の周面を押圧した銜え状態で同雄主体部９のアゴ部７に係止した状態（図３中、仮想線参照）になり、引き抜かれるときには頭部９が平行部分２３a、２３bを一時的に押し退けて上記係止状態が解消される構成されている。
【００３０】
要するに、上記の第２実施の形態に係る押しホック２１は、後述するような捻り操作を加えずとも引き抜き操作だけで外れる構成にされているものであるので、例えばネックレスや携帯電話のストラップ、ネームプレートの吊り紐等に取り付けた状態での使用中において、これらネックレス、ストラップ、吊り紐等が周囲の他のものに引掛けたり、ドア等に挟まったりした状態になって、雌孔に有する銜止バネの銜え力よりも大きな引っ張り力を受けたときには、自動的に外れるから大事故に至るような危険な事態を回避でき、安全性の確保ができる。
【００３１】
図５は、第３実施の形態を示す係止凹溝３２a、３２bをもつ別異の雄化用部材を示す斜視図である。図６及び図７は、当該別異の雄化用部材を組み込んだ第４実施の形態に係る押しホック３１を示す。なお、図６は第４実施の形態を示す要部の断面図であり、図７は他方雌ホック２５bに９０度の捻り操作を加えた状態を仮想線で示した図６AーA線に沿う断面図である。
【００３２】
この第４実施の形態に係る押しホック３１は、別異の雄化用部材をもつ以外の構成が上記第２実施の形態に係る押しホック２１とほぼ同様にしてあるから、同じ部位に同一の符号を付してそれらの説明は省略し、異なる部分を以下に説明する。
【００３３】
この第４実施の形態に係る押しホック３１は、上記雄化ホック２６における雄化用部材１の雄主体部９が他方の雌ホック２５bの雌孔２２に押し込まれて係止状態にされたときに、上記の他方雌ホック２５bにおける銜止バネ２３の平行部分２３a、２３bが臨入して雄主体部９の抜き取りを不可能にする左右一対の係止凹溝３２a、３２bが雄化ホック２６における雄化用部材１の首部８の周面に設けられている。すなわち、上記首部８の周面には、当該係止凹溝３２a、３２bが存在する係止個所３３a、３３bと存在しない外し個所３４a、３４bが設けられている。
【００３４】
したがって、この第４実施の形態に係る押しホック３１は、上記雄化ホック２６における雄化用部材１の雄主体部９が他方の雌ホック２５bの雌孔２２に押し込まれたことにより上記引き抜き操作ができなくなるから不測に外れることがなく、また外したいときには上記雄化ホック２６若しくは他方雌ホック２５bに９０度の捻り操作を加えて銜止バネ２３の平行部分２３a、２３bを上記外し個所３４a、３４bに位置するようにして当該平行部分２３a、２３bを左右一対の凹溝３２a、３２bから脱出させてから引き抜けばよい。
【００３５】
因みに、銜止バネ２３の平行部分２３a、２３bを上記外し個所３４a、３４bになした状態において引き抜き力を加えずに手放した場合には、平行部分２３a、２３bは自身の弾性により係止凹溝３２a、３２b内に自動的に戻って不測の抜け外れ事故を回避するようにしてある。
【００３６】
また、上記のように自動的に戻るようになっているから、たとえば上記雄化ホック２６における雄化用部材１の雄主体部９を他方の雌ホック２５bの雌孔２２に押し込む場合において、銜止バネ２３の平行部分２３a、２３bが上記外し個所３４a、３４bになる向きで押し込まれて手放されたときには、平行部分２３a、２３bは自身の弾性により係止凹溝３２a、３２b内に自動的に臨入するので、結果的にこの場合でも不測の抜け外れ事故を回避できる。
【００３７】
つまり、雄主体部９が雌孔２２内に押し込まれた位置で手放し状態にされた場合には、雄化ホック２６と雌ホック２５bとの係止（連結）状態を自動的に確保できる。
【００３８】
図８は、第５実施の形態に係る押しホック４１を示すものである。なお、、図８は他方雌ホック２５bに４５度の捻り操作を加えた状態を仮想線で示した図６AーA線に相当する個所で示す断面図である。
【００３９】
この第５実施の形態に係る押しホック４１は、引き抜き操作を不可能にする左右一対の係止凹溝３２a、３２b及び前後一対の係止凹溝３２c、３２dが、雄化ホック２６における雄化用部材１の首部８の周面に設けられているものである。すなわち、上記首部８の周面には、当該係止凹溝３２a、３２b、３２c、３２dが存在する係止個所３３a、３３b、３３c、３３dと存在しない外し個所３４a、３４b、３４c、３４dが設けられている。なお、この第４実施の形態に係る押しホック４１は、前後一対の係止凹溝３２c、３２dを追加した以外の構成は、上記第３実施の形態に係る押しホック３１と同様にしてあるから、同じ部位に同一の符号を付してその説明はここでは省略することにする。
【００４０】
したがって、この第５実施の形態に係る押しホック４１は、上記雄化ホック２６における雄化用部材１の雄主体部９が他方の雌ホック２５bの雌孔２２に押し込まれたときには、これによって銜止バネ２３の平行部分２３a、２３bが左右一対の係止凹溝３２a、３２b若しくは前後一対の係止凹溝３２c、３２d内に入り込んだ状態になるから、上記引き抜き操作ができなくなり不測に外れることがなくなる。また外したいときには上記雄化ホック２６若しくは他方雌ホック２５bに４５度の捻り操作を加えて銜止バネ２３の平行部分２３a、２３bを上記外し個所３４a、３４b若しくは３４c、３４dにして当該平行部分２３a、２３bを左右一対の係止凹溝３２a、３２b若しくは前後一対の係止凹溝３２c、３２dから脱出させてから引き抜けばよい。
【００４１】
要するに、第４実施の形態に係る押しホック３１は、９０度の捻り操作を施して外す構成にされたものであり、第５実施の形態に係る押しホック４１は、４５度の捻り操作を施して外す構成にされたものである。このように、これら第４、第５実施の形態に係る押しホック３１、４１は、捻り操作を行って外すものであるから、濫りに外れては困るところに使用して好適なものである。
【００４２】
なお、上記の第４、５実施の形態に係る押しホック３１、４１は、捻り操作に釣られて雄化用部材１が回転しないように、当該雄化用部材１が上記した接着剤の流込固定等により固定されている。
【００４３】
図９は、本発明に係る押しホックの使用の一例を示すものであって、本発明押しホックを構成する雌ホック５１、雄化ホック５２が、左右一対からなるチェーン状の各長物飾体主体５３a、５３bの先端に必要に応じて着脱しうるようにして止着され、また同長物飾体主体５３a、５３bの基端に装飾取付金具５４a、５４bが連結されているものであり、そして、上記各装飾取付金具５３a、５３bは、例えば上着５５の胸前に縫付片５６a、５６bを介して縫い付けられて用いられるものである。すなわちこの使用例は雌ホック５１、雄化ホック５２を連結して胸前を閉じ状態にしたり外して開け状態にしたりしうるようにされたものである。なお、これら雌ホック５１、雄化ホック５２の構成は、上記した雌ホック４、２５a、２５b、雄化ホック２６と基本的には同様であるからその説明は省略する。
【図面の簡単な説明】
【００４４】
【図１】第１実施の形態を示す全体の一部切截正面図である。
【図２】同じく中央断面図である。
【図３】第２実施の形態を示す全体の断面図である。
【図４】同じく分解断面図である。
【図５】第３実施の形態に係る別異の雄化用部材を示す斜視図である。
【図６】第４実施の形態を示す全体の断面図である。
【図７】図６AーA線に沿う断面図である。
【図８】第５実施の形態を示す図６AーA線に相当する個所の断面図である。
【図９】本発明に係る押しホックの使用の一例を示す斜視図である。
【符号の説明】
【００４５】
１  第１実施の形態に係る雌ホックの雄化用部材
２  雌孔
３  銜止バネ
３a、３b  平行部分
４  雌ホック
６  頭部
７  アゴ部
８  首部
９  雄主体部
１０  固定脚部
１１a、１１b  通孔
１３  延長部
１４  固定凹溝
１５  ガイド部
２１  第２実施の形態に係る押しホック
２２  雌孔
２３  銜止バネ
２３a、２３b  平行部分
２４  鍔状部
２５a、２５b  ２個の雌ホック
２６  雄化ホック
３１  第４実施の形態に係る押しホック
３２a、３２b、３２c、３２d  係止凹溝
３３a、３３b、３３c、３３d  係止個所
３４a、３４b、３４c、３４d  外し個所
４１  第５実施の形態に係る押しホック
５１  雌ホック
５２  雄化ホック
５３a、５３b  長物飾体主体b
５４a、５４b  装飾取付金具
５５  上着
５６a、５６b  縫付片
【図１】
2008119064.tif 000003
【図２】
2008119064.tif 000004
【図３】
2008119064.tif 000005
【図４】
2008119064.tif 000006
【図５】
2008119064.tif 000007
【図６】
2008119064.tif 000008
【図７】
2008119064.tif 000009
【図８】
2008119064.tif 000010
【図９】
2008119064.tif 000011